(57)【特許請求の範囲】
【請求項１】
サーバ上の局所コンテンツにアクセスすることができるようにするために、ローカル・ユーザ・ターミナルに対して、顧客ベースで、前記サーバへの接続を提供する第１の無線インターフェースと、
遠隔サーバ上の遠隔コンテンツにアクセスすることができるようにするために、外部移動ネットワークへの接続を提供する第２の無線インターフェースと、
遠隔サーバ上の遠隔コンテンツにアクセスすることができるようにするために、外部ネットワークへの広帯域接続を提供する第３の無線インターフェースと
を持つことを特徴とする車両に適しているサーバ。
【請求項２】
サーバ上の局所コンテンツにアクセスすることができるようにするために、ローカル・ユーザ・ターミナルに対して、顧客ベースで、前記サーバへの接続を提供する第１の無線インターフェースと、
遠隔サーバ上の遠隔コンテンツにアクセスすることができるようにするために、外部移動ネットワークへの接続を提供する第２の無線インターフェースと、
遠隔サーバ上の遠隔コンテンツにアクセスすることができるようにするために、外部ネットワークへの広帯域接続を提供する第３の無線インターフェースとを持ち、
前記遠隔サーバへのアクセスが、前記ローカル・ユーザ・ターミナルによって求められると、前記サーバは第１に、前記第３の無線インターフェースを介して前記遠隔サーバへの接続を試み、
前記第３の無線インターフェースが前記遠隔サーバとの接続を確立すると、前記ローカル・ユーザ・ターミナルは、前記第３の無線インターフェースを介する前記サーバを使って、前記遠隔コンテンツへのアクセスすることが許可され、
前記第３の無線インターフェースが前記遠隔サーバとの接続を確立できないと、前記ローカル・ユーザ・ターミナルが、前記第２の無線インターフェースを介して前記遠隔コンテンツへのアクセスする前記サーバを使うことができるように、前記サーバは前記第２の無線インターフェースを介して前記遠隔サーバへの接続を試みることを特徴とする車両に適しているサーバ。
【請求項３】
請求項１又は２のいずれかに記載のサーバにおいて、
前記サーバが、前記第３の無線インターフェースと広帯域接続を行うことができる外部ネットワークの存在を判断するための検出手段を含むことを特徴とするサーバ。
【請求項４】
請求項３記載のサーバにおいて、
前記サーバが、前記第２および第３のインターフェースが使用できるかどうかを判断するために、前記検出手段に応答するアクセス制御手段を含むことを特徴とするサーバ。
【請求項５】
請求項４記載のサーバにおいて、
前記サーバが、前記第３のインターフェースを介して前記サーバ上の前記局所コンテンツを更新するためのコンテンツ更新手段を含むことを特徴とするサーバ。
【請求項６】
請求項１または請求項２記載のサーバにおいて、
ワールド・ワイド・ウェブ・サーバとして動作するようにプログラムされていて、それぞれ、前記第１および第２の無線インターフェースを供給する第１および第２のネットワーク・データ・アダプタを含むコンピュータを備えることを特徴とするサーバ。
【請求項７】
請求項６記載のサーバにおいて、
第３のネットワーク・データ・アダプタが前記第３の無線インターフェースを提供することを特徴とするサーバ。
【請求項８】
ローカル顧客ターミナルへの接続を提供する第１の無線インターフェースと、外部移動ネットワークへの接続を提供する第２の無線インターフェースとを持つ車両内に設置されているサーバを使用するコンテンツを供給するための方法であって、
前記サーバ内にローカルに位置するコンテンツと、遠隔サーバ内に位置していて、前記第２の無線インターフェースがアクセスするコンテンツを供給するステップと、
外部ネットワークと広帯域接続することができる第３の無線インターフェースを介して前記ローカルに位置するコンテンツを更新するステップとを含み、
前記局所コンテンツと前記遠隔コンテンツとが、前記第１の無線インターフェースを介してローカル顧客ターミナルによりアクセスされることを特徴とする方法。
【請求項９】
請求項８記載の方法において、
さらに、前記ローカル顧客ターミナルによる遠隔サーバ上のコンテンツへのアクセスを制限するステップを含むことを特徴とする方法。
【請求項１０】
請求項８又は請求項９のいずれかに記載の方法において、
さらに、そのコンテンツをローカルに記憶するために、第三者の会社に課金することにより収入を発生するステップを含むことを特徴とする方法。
【請求項１１】
請求項１０記載の方法において、
前記サーバが、顧客にインターネット・ポータルを供給し、さらに、遠隔地に記憶したコンテンツに対するリンク用の第三者の会社上にローカルに記憶したコンテンツに対するリンク用の第三者の会社に割増し金を課金するステップを含むことを特徴とする方法。
【請求項１２】
コンテンツを供給するためのシステムであって、
インターネットに接続しているサービス・コントローラ・サーバと、
車両内に装着されている局所サーバ、およびユーザ・ターミナルとを備え、
前記局所サーバは、請求項１乃至７のいずれかに記載のサーバであって、
前記ユーザ・ターミナルおよび前記局所サーバが、第１の通信プロトコルにより、顧客ベースで通信し、前記サーバおよび前記サービス・コントローラ・サーバが、第２のセルラー・システムを介して通信プロトコルと通信し、それにより、前記ユーザ・ターミナルが前記局所サーバにアクセスすることができ、そのインターネット接続により遠隔サーバにアクセスすることができることを特徴とするシステム。
【請求項１３】
コンテンツを供給するためのシステムであって、
複数の固定ノードを備えるコア・ネットワークと、
局所コンテンツを記憶する複数の局所サーバと、
前記局所サーバにアクセスすることができる複数のユーザ・ターミナルとを備え、
前記複数の局所サーバの少なくとも１つは、請求項１乃至７のいずれかに記載のサーバであって、
前記局所サーバと前記固定ノードとが、前記コア・ネットワークへの、またその後での他の外部ネットワークへの前記局所サーバによるアクセスを容易にするための、動的な再転送メッシュまたは特殊無線ネットワークとして動作するようにプログラムされていることを特徴とするシステム。
【発明の詳細な説明】
【０００１】
【発明の属する技術分野】
本発明は、概して、サーバに関し、特に車両用のインターネット・サーバに関するが、これに限定されない。
【０００２】
【従来の技術及び発明が解決しようとする課題】
近代都市生活、特に主要都市の周囲においては、人々は、毎日多くの時間を通勤に使用している。現在、人々は、この時間を、ニュースや、本や、漫画を読んだり、音楽を聞いたり、または電子ゲームをしたりするのに使用している。
本発明は、一般的に、通勤時間をより快適に過ごすのに役に立つ上記タイプのサービスだけではなく、他の別のタイプのサービスおよびインターネット・アクセスの、ユーザ・ターミナルを通しての通勤者への供給に関する。
【０００３】
ヨーロッパ特許公開公報ＥＰ−Ａ−９３６８２９は、乗客のセルラー電話に対してセルラー・ネットワーク・アクセスを提供する、列車内に位置する基地局を開示している。
文献ＩＥＥＥ０−７８０３−５０８６−３／９８に掲載されているデルファイ・デルコ・エレクトロニクス・システムズおよびＩＢＭ社の論文、「ネットワーク車両−移動マルチメディアの将来の瞥見」は、その乗客にインターネット・アクセスを提供する車両を開示している。
【０００４】
【課題を解決するための手段】
第１の観点から見た場合、本発明は、サーバ上の局所コンテンツにアクセスすることができるようにするために、ローカル・ユーザ・ターミナルに対して、顧客ベースでサーバへの接続を提供する第１の無線インターフェースと、遠隔サーバ上の遠隔コンテンツにアクセスすることができるようにするために、外部移動ネットワークへの接続を提供する第２の無線インターフェースとを持つ車両に適しているサーバを提供する。
【０００５】
それ故、本発明のサーバは、顧客に、第１の無線インターフェースを介して、局所コンテンツへの迅速なアクセスを提供し、顧客が、その地域では入手できないコンテンツへのアクセスを希望する場合には、第２の無線インターフェースを介して遠隔サーバへのアクセスを提供する。それ故、その地域で入手できるサービスおよび情報が広範なものであり、そのため、顧客が遠隔サーバにアクセスする必要がない場合には、非常に迅速に、顧客にサービスを提供することができることを理解することができるだろう。
【０００６】
そのため、「顧客ベースで」という用語は、サーバとユーザ・ターミナルとの間の通信が、顧客の取引きに関連する下記の機能、すなわち、身元確認、暗号化および顧客課金機能の中の少なくとも１つを共有することを意味する。身元確認は、顧客の識別を正しく行い、それにより、詐欺を防止するために必要である。暗号化も、詐欺を防止し、顧客のプライバシーを保護するために必要である。顧客課金機能は、顧客が有料のサービスを使用する際に必要になる。
【０００７】
サーバに移動アクセスを提供している第２の無線インターフェースは、移動のために接続速度が低下する。
しかし、サーバが位置する車両は、外部ネットワークへの高速アクセスを使用することができる、いわゆる「ホット・スポット」領域内に停止して、移動しない場合もでてくる。そのため、好適な実施形態の場合には、サーバは、また、外部ネットワークに対して、高速で広帯域な接続を提供する第３の無線インターフェースを含む。それ故、サーバは、自分がホット・スポット領域に位置することを検出した場合には、第２の無線インターフェースに優先して、外部のネットワークにアクセスするために、第３の無線インターフェースを使用することができる。
【０００８】
他の実施形態の場合には、サーバは、第２および第３のインターフェースを同時に使用することができる。第２および第３のインターフェースの相対的使用については、システムの全処理能力に基づいてバランスをとることができる。さらに、ホット・スポット領域内においては、サーバは、第３の無線インターフェースを介してその局所コンテンツを更新することができる。
【０００９】
好適な形態の場合には、本発明のサーバは、ワールド・ワイド・ウェブ（ＷＷＷ）サーバとして動作するようにプログラムされた、簡単に入手できる標準ラップトップ・パソコンとして実行することができ、さらに、ＰＣＭＣＩＡカードのような無線ネットワーク・アダプタを含み、第１、第２および第３のインターフェースのハードウェア機能およびソフトウェア機能を提供する。他の実施形態の場合には、本発明のサーバは、専用ハードウェアおよびソフトウェアにより実行することができる。
【００１０】
第２の観点から見た場合、本発明は、ローカル顧客ターミナルへの接続を提供する第１の無線インターフェースと、外部移動ネットワークへの接続を提供する第２の無線インターフェースとを持つ車両内に設置されているサーバを使用する商業活動を行うための方法を提供する。上記方法は、サーバ内にローカルに位置するコンテンツと、遠隔サーバ内に位置していて、第２の無線インターフェースがアクセスするコンテンツを供給するステップを含む。この場合、その局所コンテンツと遠隔コンテンツとは、第１の無線インターフェースを介してローカル顧客ターミナルによりアクセスすることができる。
【００１１】
第２の観点から見た場合、本発明の方法は、サービス・プロバイダに対してビジネスを有利に行う方法を提供する。その有利な点というのは、普通の１組の顧客、すなわち、車両の乗客が、多くの場合、サーバ上のコンテンツへのアクセス以外のことは行わないということである。
１つの実施形態の場合には、上記方法は、さらに、遠隔サーバ上のコンテンツに対するそのローカル顧客ターミナルによるアクセスを制限するステップを含む。このようにして、サービス・プロバイダは、遠隔サーバ上の遠隔コンテンツにアクセスすることができる範囲について、さらに影響を持つ。
１つの実施形態の場合には、上記方法は、外部ネットワークに対して広帯域接続を行うことができる第３の無線インターフェースを介してその局所コンテンツを更新するステップを含むことができる。このようにして、例えば、更新したＣＤ−ＲＯＭを設置するためにサーバが設置されている車両にわざわざ乗り込む必要がなくなる。
【００１２】
第３の観点から見た場合、本発明は、インターネットに接続しているサービス・コントローラ・サーバ、車両内に装着されている局所サーバ、およびユーザ・ターミナルを備えるコンテンツを供給するためのシステムを提供する。この場合、ユーザ・ターミナルおよび局所サーバは、第１の通信プロトコルにより、顧客ベースで通信し、サーバおよびサービス・コントローラ・サーバは、第２のセルラー・システムを介して通信プロトコルと通信し、それにより、ユーザ・ターミナルは、局所サーバにアクセスすることができ、そのインターネット接続により遠隔サーバにアクセスすることができる。
【００１３】
本発明の場合には、「コンテンツ」は、例えば、宣伝のような情報自身と、サービスとの両方を含むものと理解されたい。
添付の図面を参照しながら、本発明の例示としての実施形態について以下に説明する。
【００１４】
【発明の実施の形態】
図１について説明すると、本発明のサーバ５０は、点線で示す公共輸送列車の客車１４上の保護壁キャビネット１２内に設置されている。イタズラされないように、また偶然の損傷を避けるために、サーバはこのように設置されている。客車１４内には多数の乗客（図示せず）がいて、その中の２人は、ブルートゥース・インターフェース１８およびインターネット・ブラウジング・ソフトウェアを備えるセルラ電話１６を持っている。
【００１５】
サーバ５０は、以下にさらに詳細に説明する、ＷＷＷサーバとして動作するように、ソフトウェアによりプログラムされ、３枚のＰＣＭＣＩＡカードにより実行された３つの無線インターフェースを備える、容易に入手できるラップトップ・パソコンである。
第１のインターフェース５５は、乗客のセルラ電話に広帯域接続を提供するブルートゥース・インターフェースである。第２のインターフェース６０は、外部、公衆、移動ＷＣＤＭＡネットワーク６２に対して接続を提供するＷＣＤＭＡインターフェースである。第３のインターフェース６５は、主要な列車の駅のようなホット・スポット領域内で広帯域アクセスが可能になった場合、外部ネットワーク６７に広帯域接続を提供するハイパーラン無線ＬＡＮインターフェースである。外部ネットワーク６７は、公衆輸送会社が設置した専用ネットワークの一部である。
【００１６】
図２に示すように、第２のインターフェース６０または第３のインターフェース６５を介して、サーバ５０は、サービス・コントローラ・サーバ９０にアクセスする。ＷＣＤＭＡネットワーク６２の場合には、ＷＣＤＭＡネットワークと、サービス・コントローラ・サーバ９０との間の接続は、ＩＳＤＮ接続６４により行われる。サービス・コントローラ・サーバ９０は、ファイヤウォールを含む１つのゲートウェイ９２を通してインターネットに接続している。
【００１７】
サービス・コントローラ・サーバ９０内のソフトウェアは、多数の機能モジュール、すなわち、サーバ５０に個々のアドレスを割り当てるためのＤＨＣＰ（領域ホーム制御プロトコル）モジュール９４；会社のネットワーク内で認識されているＩＰアドレスの数をローカル的に拡張するためのＮＡＴ（ネットワーク・アドレス・トランスレータ）モジュール９６；電子メールを転送するためのＳＭＴＰリレー・モジュール９８；Ｒｓｙｎｃプログラム、ＣＶＳｕｐプログラム、および代理モジュールＰｒｏｘｙＰａｓｓ  ｄｉｒｅｃｔｉｖｅを含み、遠隔サイトで情報のデータベースをコピーするためのミラー・サイト・モジュール１００；ＳＮＭＰ（簡易ネットワーク管理プロトコル）モジュール１０２；ＳＳＬ（安全ソケット層）モジュール１０４；局所コンテンツ・ソース・モジュール１０６；遠隔ネットワーク管理プロトコルおよび使用モニタ・モジュール１０８を含む。
【００１８】
サーバ５０内のソフトウェアは、多数の機能モジュール７０、７２、７４および７６を含む。暗号化、身元確認および課金モジュール７０は、乗客のターミナルとの取引きの商業的面を処理する。ウェブ身元確認７０は、顧客の識別を正しく行い、それにより、詐欺を防止するために必要である。暗号化も、詐欺を防止し、顧客のプライバシーを保護するために必要である。ユーザが有料のサービスを使用した場合には、顧客課金機能が必要である。その局所コンテンツ・モジュール７２は、アクセスするための、乗客に関するサービスおよび情報を含む局所コンテンツの広範な本体を供給する。
【００１９】
その例としては、ニュース、漫画、音楽、ビデオ、時刻表、ゲーム、電子取引き、および広告がある。あるコンテンツは無料であり、他のコンテンツは有料である。アクセス制御モジュール７４は、第２および第３のインターフェース６０および６５により、外部ネットワークへのアクセスを制御し、バランスをとる。モジュール７４は、また、サーバ・オペレータの判断で、全インターネットへの自由なアクセスを制限するために動作する。更新モジュール７６は、ホット・スポット領域内で広帯域アクセスが可能になった場合に、コンテンツを含むサーバ・ソフトウェアを更新できるようにする。
使用中、乗客が、職場へのまたは職場からの毎日の通勤のために、客車１４に乗車すると、サーバ５０の第１のインターフェース５５とセルラ電話のインターフェースとの間の、ブルートゥース接続を通して、サーバ５０にログオンすることにより、幾分実りの多い活動に時間を費やしたり、従事したりすることができる。
【００２０】
モジュール７０は、身元確認および暗号化を提供することにより接続の統合を確実に行う。ユーザの身元が、その地域で確認されると、その情報は、ＷＣＤＭＡネットワーク６２を通して、また、その後でＩＳＤＮライン６４を通してサービス・コントローラ・サーバ９０に送られ、そこで、ＤＨＣＰプロトコル・モジュール９４は、ユーザに個々のＩＰアドレスを割り当てる。輸送会社のネットワークに割り当てられたＩＰアドレスよりユーザ・ターミナルの数のほうが多い場合があるので、ＮＡＴ９６も必要になる。乗客が有料のコンテンツを使用したい場合には、モジュール７０は、また、課金および課金プロセスを行うために、乗客の登録を行う。その局所コンテンツ７２の場合には、乗客は、非常に迅速なサービスを受ける。何故なら、ブルートゥース接続は、データを高速で供給することができるからである。
【００２１】
乗客が遠隔サーバにアクセスしようとすると、その要求は、アクセス制御モジュール７４に送られる。アクセス制御モジュール７４は、要求されたサーバへのアクセスを許可するかどうかの決定を行う。アクセス制御モジュール７４は、ＩＰアドレス濾過機能を提供し、また、乗客からのアクセス要求へのアクセスを拒否する特別のインターネット・アドレスのブラックリストを含むことができる。モジュール７４が、そのアクセスが許可されたと判断した場合には、このモジュールは、また、第２および第３のインターフェース６０、６５のどれにより外部ネットワーク・アクセスを行うことができるのかを判断する。アクセス制御モジュール７４は、最初に、第３のインターフェース６５に外部ネットワーク６７へ接続するように命令することにより、どのインターフェースを使用すべきかを決定する。
【００２２】
列車が駅の間を移動中の場合、または外部ネットワークへの広帯域アクセス・ポイントを持たない小さな駅に停車中のように、列車がホット・スポット内に位置していない通常の場合には、第３のインターフェース６５は、接続を行うことができず、そのため、デフォールトで、アクセス制御モジュール７４は、第２のインターフェース６０を介してＷＣＤＭＡネットワーク６２に移動接続を行う。この接続を通して、サービス・コントローラ・サーバ９０へのアクセスが行われ、そのゲートウェイ９２を通してインターネットへのアクセスが行われ、最終的に、遠隔サーバ８０へのアクセスが行われる。
【００２３】
例えば、外部ネットワークへの広帯域アクセス・ポイントを使用することができる駅に停車中のような、列車がホット・スポット領域内に位置する、あまり頻繁に起こらないケースの場合には、外部ネットワーク６７との接続を行うための、第３のインターフェースによる試みは成功し、アクセス制御モジュール７４は、第３のインターフェース６５を使用する。この接続を通して、サービス・コントローラ・サーバ９０へのアクセスが行われ、そのゲートウェイを通してインターネットへの接続が行われ、最終的に、遠隔サーバ９０上の遠隔コンテンツへのアクセスが行われる。
【００２４】
乗客の立場から見た場合、遠隔サーバへのアクセスの速度は、第２のインターフェース６０を介してのアクセス速度より速い。何故なら、ネットワーク６７と第３のインターフェースとの間のダウンリンク接続が、データのボトルネックにならないからである。（ＷＣＤＭＡネットワークの通達範囲内において）インターネット・アクセスの利点が何時でも維持されるということが、本実施形態の有意な利点であることを理解することができるだろう。
【００２５】
ホット・スポット領域においては、更新モジュール７６は、外部ネットワーク６７との広帯域接続の利点を利用することができ、例えば、更新された最新のニュースまたは他の情報、または局所コンテンツとして提供される追加／置換サービス、ブラックリストに載っているインターネット・アドレス、または実行するサーバ用の追加ソフトウェアような、その地域で供給されるコンテンツを更新したものをダウンロードすることができる。ダウンロード・プロセスは、サービス・コントローラ・モジュール内で局所サーバを局所コンテンツ・ソース・モジュール・データベースと協力させるミラー・サイト・モジュール１０８により、サービス・コントローラ・モジュール１０８内で処理される。更新に対する要求は、サーバ５０またはサーバ９０により行うことができる。
【００２６】
他の実施形態の場合には、セルラ電話の代わりに、携帯用コンピュータ、マルチメディア・ターミナル、ＰＤＡ、コミュニケータ、腕時計または無線ネットワーク・アダプタを備えるラップトップ・パソコンのような他のタイプのユーザ・ターミナルを使用することができる。
他の実施形態の場合には、ＧＳＭインターネットの代わりに、第１のインターフェース５５として、ＰＤＣ、ＰＨＳ、ＥＤＧＥ、ＧＰＲＳ、ＷＣＤＭＡ、ＩＭＴ−２０００、ＣＤＭＡＯｎｅ、ＩＣＯイリジウムまたはゴールドスター・インターフェースを使用することができる。
【００２７】
他の実施形態の場合には、ブルートゥース・インターフェースの代わりに、第２のインターフェース６０として、ハイパーラン無線ＬＡＮ、ＩＥＥＥ８０２．１１無線ＬＡＮ、ＭＭＡＣ無線ＬＡＮ、無線ＩＥＥＥ１３９４、ホームＲＦまたはＩＲＤＡインターフェースを使用することができる。
他の実施形態の場合には、ハイパーラン無線ＬＡＮインターフェースの代わりに、第３のインターフェース６５として、ＩＥＥＥ８０２．１１、ＭＭＡＣ無線ＬＡＮ、ブルートゥースＩＥＥＥ８０２．１６、ＩＥＥＥ８０２．１５、ＥＴＳＩハイパーアクセス、ＡＲＩＢ  Ｔ−５８またはＡＲＩＢ  Ｔ−５９インターフェースを使用することができる。外部ネットワーク６７は、公衆ネットワークの一部とすることもできる。
サーバは、バス、地下鉄、電車、タクシー、自家用車、航空機、フェリーまたはボートのような他の車両内に設置することができる。
【００２８】
本発明の他の実施形態の場合には、実際上のシステム要件により、サービス・コントローラ・サーバ９０とサーバ５０との間で機能をシフトさせることができる。例えば、アクセス制御モジュール７４のＩＰアドレス濾過機能は、すでに説明したように、サーバ５０内にではなく、サービス・コントローラ・サーバ９０内に常駐させることができる。同様に、クライアント課金機能も、サービス・コントローラ・サーバ９０にシフトすることができる。
【００２９】
サーバ・プロバイダ／サービス・プロバイダの立場から見ると、上記実施形態は、電子メール取引きを実行するのに有利な方法である。重要なことは、サービス・プロバイダは、普通の１組の顧客、すなわち、サーバ５０から使用できるコンテンツへのアクセス以外のことはあまり行わない乗客を持つことである。さらに、遠隔サーバ９０から使用できるアクセスの容易さと比較した時、その迅速に行うことができるアクセスのために、サーバ５０にとっては身近なコンテンツの場合、アクセス速度だけが乗客の高い関心事であり、そのため、移動ネットワーク接続コスト以外は掛からず、局所コンテンツが妥当なコストである場合には、そのサービスを進んで長時間使用することになるだろう。
【００３０】
ある遠隔サーバ９０へのアクセスが敬遠される大きな理由が、ただアクセス速度が遅いからという理由によるものではないことが分かった場合には、アクセス制御モジュール７４は、ある遠隔サーバへのアクセスを禁止することができる。これらの要因が重なり合うと、サービス・プロバイダは、顧客がアクセスすることができるコンテンツの範囲について、予期しない影響を受けることになる。さらに、サービス・プロバイダは、コンテンツをローカルに記憶するための第三者の会社を変更する機会を持つ。上記実施形態は、第２のインターフェース６５を介して、移動接続を維持するために、公衆セルラー・アーキテクチャを広範にうまく使用する。
【００３１】
また、サーバの更新モジュール７６は、サービス・プロバイダが、サーバ上にローカルに記憶したコンテンツを、最少の手数で、最新状態に維持することができるようにし、第３のインターフェース６５により、発生するその局所コンテンツを更新することができるようにし、それにより、更新したＣＤ−ＲＯＭを設置するために、サーバのところまでわざわざ行く必要がなくなる。
【００３２】
これらの有利な状況のために、サーバ５０により、乗客に最初に提示されるインターネット・ポータルは非常に馴染みの深いものになり、それにより、ポータルを価値のあるブランドにすることができる。遠隔サーバ７０上のコンテンツへのリンクと比較した場合、サーバ５０上にローカルに常駐しているコンテンツへのリンクに対して、サービス・プロバイダは割増し金を課することができる。
【００３３】
図３は、本発明を実行するための他の方法である。この図面においては、類似の部品には同じ参照番号がつけてある。サーバ１２０は、図１の実施形態のサーバ５０に類似している。両者の違いは、客車外のネットワークへの接続を提供する第２のインターフェースが、セルラー・システム・リンクのように移動できるリンクではなく、例えば、上記のＷＬＡＮ規格の中の任意の規格のような、任意の他の種類のＲＦ接続を使用することができることである。また、サーバは、メッシュおよび／または特殊な転送プロトコルを含む。その効果は、列車内の各客車は、メッシュおよび／または特殊ネットワークのノードとして機能し、そのため、サーバが、一時的に、コア・ネットワーク１２５の一部と通信できない場合、送信したいトラフィックが、現在コア・ネットワークにアクセスすることができる他の客車内の他のサーバへ空間を通して転送されるように、ネットワーク転送経路が再構成されることである。そうでない場合には、この実施形態は、上記の実施形態のすべての機能および利点を持つ。
【図面の簡単な説明】
【図１】列車の客車内に設置された、本発明のサーバの一実施形態である。
【図２】図１のサーバの機能ブロック図である。
【図３】列車の客車内に設置された、本発明のサーバの他の実施形態である。
【符号の説明】
１４…客車
１６…セルラ電話
１８…ブルートゥース・インターフェース
５０…サーバ
５５…第１のインターフェース
６０…第２のインターフェース
６２…移動ＷＣＤＭＡネットワーク
６５…第３のインターフェース
６７…外部ネットワーク
８０…遠隔サーバ
９０…サービス・コントローラ・サーバ
【図１】
0004131457.tif 000002
【図２】
0004131457.tif 000003
【図３】
0004131457.tif 000004